(57)【要約】【課題】  シート状のフィルム見本の着脱が容易で、しかも防水性および機械的強度に優れた簡単な構造の商品見本展示機能を備えた自動販売機の商品選択釦装置を提供する。【解決手段】  シート状の商品見本をその裏面側に直脱自在に装着すると共に押圧操作釦として用いられる透光性のカバー体を枠状のインナーフレームにて裏面側から支持する。そしてこのインナーフレームの外周に一体に設けた弾性変形部材の外周縁部を枠状のリアフレームとアウターフレームとの間に挟み込むことにより上記インナーフレームを上記弾性変形部材を介して支持すると共にその間を水密にシールし、同時に上記リアフレームにて上記インナーフレームを可動自在に支持する。【選択図】      図４
2006139392.tif 000002
【特許請求の範囲】
【請求項１】
販売機本体の前扉に組込まれて、シート状のフィルム見本を着脱自在に保持して該フィルム見本を前記前扉の前面側から視認可能に展示すると共に、前記前扉の前面側から押圧操作されてスイッチ動作する自動販売機の商品選択釦装置であって、
前記前扉への取付部をなす枠状のアウターフレームと、
裏面側に前記フィルム見本を着脱自在に装着すると共に、上記アウターフレームの内側に嵌め込まれて押圧操作釦として用いられる透光性のカバー体と、
このカバー体の裏面に重ね合わせられて該カバー体を支持する枠状のインナーフレームと、
このインナーフレームの外周縁を囲繞して該インナーフレームに接合一体化され、上記インナーフレームを弾性的に支持するフランジを形成した弾性変形部材と、
この弾性変形部の外周縁部を前記アウターフレームとの間に挟み込んで該アウターフレームに接合一体化され、前記インナーフレームに重ね合わせられた前記カバー体を前記弾性変形部を介して支持すると共に、前記インナーフレームを可動自在に支持する枠状のリアフレームと、
このリアフレームに組み込まれて前記弾性変形部材または前記インナーフレームにより押圧される押圧スイッチと
を具備したことを特徴とする自動販売機の商品選択釦装置。
【請求項２】
前記弾性変形部材は、合成樹脂製のインナーフレームの外周縁部に沿って接合一体化されたシリコーン樹脂製の部材からなり、前記リアフレームとアウターフレームとの間に介挿される防水パッキング体としての機能を併せ持つものである請求項１に記載の自動販売機の商品選択釦装置。
【請求項３】
前記リアフレームとアウターフレームとは、互いに突き合わせた外周部を溶着して一体化されるものである請求項１に記載の自動販売機の商品選択釦装置。
【発明の詳細な説明】
【技術分野】
【０００１】
本発明は、シート状のフィルム見本の展示機能を備えた自動販売機の商品選択釦装置に関する。
【背景技術】
【０００２】
自動販売機の商品選択釦は、一般的に商品展示部における商品展示棚に展示された商品見本に対応させて上記商品展示部の前面を覆う透明パネルに組み込まれる。また商品選択釦のキートップに売り切れ表示や販売可能表示を行うための表示器（表示素子）を組み込むことも行われている。一方、このような商品選択釦に代えてキートップを商品見本と同程度の大きさとし、商品選択釦（キートップ）自体に商品見本展示機能を持たせることが提唱されている（例えば特許文献１を参照）。また券売機等においては、そのキートップに商品名や価格を印刷したラベルを着脱自在に装着し得る押し釦スイッチを商品選択釦として用いることも行われている。
【特許文献１】特開２０００−１８２４６７号公報
【発明の開示】
【発明が解決しようとする課題】
【０００３】
ところで上述した商品見本展示機能を備えた大型形状の商品選択釦を用いて商品展示部を構成した自動販売機を屋外に設置することを想定した場合、当然のことながら商品選択釦として防水構造を採用することが必要となる。しかし商品選択釦（キートップ）に商品見本（例えばシート状のフィルム見本）を着脱自在に装着し得る構造を採用しながら、商品選択釦を防水構造化しようとすると、商品選択釦の形状が大きいのでその構造が相当複雑化することが否めない。
【０００４】
ちなみに特許文献１に示される商品選択釦においては、押し釦スイッチパネルの外周に枠状の防水用弾性変形部材（パッキング材）を取り付け、この防水用弾性変形部材の外周部を枠状の上ケースと下ケースとの間に挟み込むことで上記パネルの外周部を水密にシールしている。しかし断面コの字状の押え部材を用いて上記防水用弾性変形部材をパネルに、その裏側から嵌め込んでいるだけなので、その取り付け強度に問題がある等の不具合がある。しかも上記防水用弾性変形部材は複雑な断面形状を有した薄い部材なので、押し釦スイッチパネルを安定に保持する上で問題がある。
【０００５】
本発明はこのような事情を考慮してなされたもので、その目的は、シート状のフィルム見本の着脱が容易で、しかも防水性および機械的強度に優れた簡単な構造の商品見本展示機能を備えた自動販売機の商品選択釦装置を提供することにある。
【課題を解決するための手段】
【０００６】
上述した目的を達成するべく本発明に係る自動販売機の商品選択釦装置は、販売機本体の前扉に組込まれて、シート状のフィルム見本を着脱自在に保持して該フィルム見本を前記前扉の前面側から視認可能に展示すると共に、前記前扉の前面側から押圧操作されてスイッチ動作するものであって、
<ａ>  前記前扉への取付部をなす枠状のアウターフレームと、
<ｂ>  裏面側に前記フィルム見本を着脱自在に支持すると共に、上記アウターフレームの内側に嵌め込まれて押圧操作釦として用いられる透光性のカバー体と、
<ｃ>  このカバー体の裏面に重ね合わせられて該カバー体を支持する枠状のインナーフレームと、
<ｄ>  このインナーフレームの外周縁を囲繞して該インナーフレームに接合一体化され、上記インナーフレームを弾性的に支持するフランジを形成した弾性変形部材と、
<ｅ>  この弾性変形部の外周縁部を前記アウターフレームとの間に挟み込んで該アウターフレームに接合一体化され、前記インナーフレームに重ね合わせられた前記カバー体を前記弾性変形部を介して支持すると共に、前記インナーフレームを可動自在に支持する枠状のリアフレームと、
<ｆ>  このリアフレームに組み込まれて前記弾性変形部材または前記インナーフレームにより押圧される押圧スイッチと
を具備したことを特徴としている。
【０００７】
好ましくは請求項２に記載するように前記弾性変形部材は、合成樹脂製のインナーフレームの外周縁部に沿って接合一体化されたシリコーン樹脂製の部材からなり、前記リアフレームとアウターフレームとの間に介挿される防水パッキング体としての機能を併せ持つものからなる。また請求項３に記載するように前記リアフレームとアウターフレームとについては、互いに突き合わせた外周部を溶着して一体化することが望ましい。
【発明の効果】
【０００８】
上述した構造の商品選択釦装置によれば、シート状の商品見本をその裏面側に着脱自在に装着すると共に押圧操作釦として用いられる透光性のカバー体を枠状のインナーフレームにて裏面側から支持し、このインナーフレームの外周に一体に設けた弾性変形部材の外周縁部を枠状のリアフレームとアウターフレームとの間に挟み込むことにより上記インナーフレームを上記弾性変形部材を介して支持すると共にその間を水密にシールし、同時に上記リアフレームにて上記インナーフレームを可動自在に支持するので、前記パネル体の周縁部を確実に防水構造化すると共に、上記パネル体を機械的に安定に支持し得る構造とすることができる。即ち、カバー体（押圧操作釦）を支持するインナーフレームを、弾性変形部材を介してリアフレームとアウターフレームとの間に挟み込むことで防水構造化を実現し、同時に上記インナーフレームをリアフレームにて可動自在に支持しているので、その機械的強度を十分に高めることができる。
【０００９】
特に弾性変形部材を、合成樹脂製のインナーフレームの外周縁部に沿って接合一体化されたシリコーン樹脂製の部材として実現することによりその撥水性および強靱性と相俟って堅牢で水密性の高い防水構造を実現することができる。またリアフレームとアウターフレームとの互いに突き合わせた外周部を溶着して上記リアフレームとアウターフレームとを接合一体化することにより、その接合機械強度を十分に高めことが可能となる等の効果が奏せられる。
【発明を実施するための最良の形態】
【００１０】
以下、図面を参照して本発明の一実施形態に係る自動販売機の商品選択釦装置についてシガレット（たばこ）用自動販売機を例に説明する。
この商品選択釦装置１は、シート状のフィルム見本（いわゆるフィルムダミー）を着脱自在に保持して該フィルム見本をその前面側から視認可能に展示すると共に、前面側から押圧操作されてスイッチ動作するものであり、例えば図１に示すように商品収納部をなす箱形の販売機本体２の前扉３に複数個並べて組込まれる。この例では７段８列に亘って計５６個の商品選択釦装置１がマトリックス配列されており、商品展示部を形成している。尚、自動販売機の前扉３には、投入金額や釣り銭金額等を表示する表示器４、コイン投入口５、紙幣挿入口６、返却レバー７、釣り銭返却口８、および商品払出口９等が設けられる。
【００１１】
さて商品選択釦装置１は、図２(ａ)(ｂ)にその外観を表す正面図と側面図とをそれぞれ示すように、裏面側にシート状のフィルム見本Ｆを着脱自在に支持すると共に、押圧操作釦として用いられる透光性のカバー体１０と、このカバー体１０の外周部を支持すると共に前述した前扉３への取付部をなす枠状のアウターフレーム（前フレーム）２０と、前記カバー体１０を間に位置付けて前記アウターフレーム２０の裏側に接合一体化されるリアフレーム（後フレーム）３０とを備える。
【００１２】
上記カバー体１０は、例えば横幅６５ｍｍ、縦長さ１１０ｍｍ程度の大きさの見本展示領域をキートップとして形成し、上記キートップをその前面側に突出させた角皿型の形状を有する。そして前記リアフレーム３０には、後述するように前記カバー体１０の押圧操作に伴ってスイッチ動作する押し釦スイッチ６１や、前記カバー体１０に装着された『販売可』や『売り切れ』等の表示ラベルをその裏面側から透過照明するＬＥＤ（発光ダイオード）６２等の光源を搭載した回路基板６０が組み込まれるようになっている。尚、上記カバー体１０、アウターフレーム２０およびリアフレーム３０は、それぞれ合成樹脂（プラスチック）製の部材からなる。
【００１３】
この商品選択釦装置１について詳しく説明すると、図３(ａ)(ｂ)にキートップの中央部Ａ-Ａおよび下端部Ｂ-Ｂの横断面構造を、また図４(ａ)(ｂ)にキートップの中央部Ｃ-Ｃおよび側部Ｄ-Ｄの縦断面構造を、そして図５にその全体的な分解構造をそれぞれ示すように、前記カバー体１０の裏面側には、このカバー体１０を支持する枠状のインナーフレーム（中フレーム）４０が設けられている。このインナーフレーム４０は、前述したリアフレーム２０の内側に進退自在に支持されるもので、前記カバー体１０に一体化されて上記リアフレーム３０とアウターフレーム２０との間に挟み込まれて前記カバー体１０を押圧操作部材として機能させる役割を担う。またこのインナーフレーム４０の内側には、前記カバー体１０の裏面側に装着されるシート状のフィルム見本Ｆを保持する為の箱形のフィルムストッパ７０が着脱自在に装着されるようになっている。このフィルムストッパ７０は、その側部に設けた爪片７１を前記インナーフレーム４０の内壁面に設けた係合突起４１に係合させることで該インナーフレーム４０に装着される。
【００１４】
また上記インナーフレーム４０の外周部には該インナーフレーム４０を囲繞してフランジ状の弾性変形部材５０が設けられており、後述するように前記インナーフレーム４０は上記弾性変形部材５０を介して前述したアウターフレーム２０およびリアフレーム３０に弾性的に支持されるようになっている。ちなみにインナーフレーム４０は合成樹脂製の部材からなり、またこのインナーフレーム４０に接合一体化される弾性変形部材５０は撥水性を有するシリコーン樹脂製の部材からなる。
【００１５】
具体的には上記弾性変形部材５０は、図３(ａ)(ｂ)および図４(ａ)(ｂ)の各断面構造図にそれぞれ示すように、インナーフレーム４０の外周を囲むように肉薄に形成されたフランジ状の撓み部５１と、この撓み部５１の先端（外周縁部）に肉厚形成されたシール部５２とを備えた形状を有している。そしてこの弾性変形部材５０は、前記撓み部５１の内側基端部をインナーフレーム４０の外周に密着させて水密に接合一体化されている。また弾性変形部材５０には、後述するようにカバー体１０がその前面側から押圧操作されたとき、前記インナーフレーム４０の変位に伴って押し釦スイッチ６１を押圧するための肉厚柱状の押圧突起５３が一体に形成されている［図３(ｂ)および図４(ｂ)を参照］。
【００１６】
上述した形状を有する弾性変形部材５０は、前述したカバー体１０とインナーフレーム４０とを重ね合わせて一体化し、アウターフレーム２０とリアフレーム３０との間に位置付けて商品選択釦装置１を組み立てる際、その外周縁部に肉厚形成したシール部５２をアウターフレーム２０とリアフレーム３０との間に挟み込むことでこれらのフレーム２０,３０に固定される。そしてフレーム２０,３０に固定されたシール部５２は、前記アウターフレーム２０とリアフレーム３０との間を水密にシールする役割を果たすと共に、前記カバー体１０を重ね合わせたインナーフレーム４０を前述した撓み部５１を介してフレーム２０,３０内において可動自在に弾性的に支持する役割を果たす。特に前記撓み部５１は、その外周縁を裏面側に湾曲させた形状を有しており、これによってインナーフレーム４０を、ひいてはカバー体１０をその前面側に向けて弾性偏倚させた状態で支持するものとなっている。
【００１７】
尚、弾性変形部材５０のシール部５２を挟み込んで重ね合わせられる前記アウターフレーム２０およびリアフレーム３０は、例えばその外周部における突き合わせ部分をその全周に亘って相互に溶着することによって接合一体化される。またこれらのフレーム２０,３０の接合一体化に先立って、図５に示すように前記リアフレーム３０に前述した回路基板６０を組み込むと共に、前記インナーフレーム４０の下部前面には『販売可』や『売切れ』を選択的に文字表示する為の表示ラベル４２が装着される。特に上記回路基板６０は、カバー体１０におけるフィルム見本Ｆの展示領域の下部に設定された上記『販売可』や『売切れ』等の表示領域に対峙させて前記リアフレーム３０の下部前面に組み込まれる。そして前記回路基板６０に搭載された押し釦スイッチ６１が前記弾性変形部材５０の押圧突起５３に所定の間隙を隔てて対向配置されるようになっている。
【００１８】
またこの実施形態においては前記カバー体１０の外周部裏面側に、リング状に形成されたエストラマー樹脂製の導光体８０が配設されるようになっている。この導光体８０は、その端部から導入された光を導きながらその周面から放射することで前記カバー体１０をその周縁部から透過照明する役割を担う。これ故、導光体８０の端部に対向配置される前述した発光ダイオード（ＬＥＤ）６２の駆動条件を制御し、導光体８０に導入する光の色とその強度とを可変することでカバー体１０の表示色等を可変し、これによってカバー体１０を介して展示されるフィルム見本Ｆに対する視覚的な展示効果を高め得るようになっている。
【００１９】
かくして上述した如く構成された商品選択釦装置１においては裏面にフィルム見本Ｆを着脱自在に保持するカバー体１０をその裏面側からインナーフレーム４０により支持し、このインナーフレーム４０をリアフレーム３０に嵌め込んで進退自在に支持すると共に、インナーフレーム４０の外周に沿って一体に設けたシリコーン樹脂製の弾性変形部材５０の外周縁部（シール部５２）をアウターフレーム２０とリアフレーム３０との間に挟み込んで上記インナーフレーム４０を弾性的に支持する構造となっている。従ってアウターフレーム２０とリアフレーム３０との間に、インナーフレーム４０を介してカバー体１０を前後に移動自在に支持することができるので、その支持構造を機械的強度に優れたものとすることができる。
【００２０】
またカバー体１０を支持したインナーフレーム４０とアウターフレーム２０およびリアフレーム３０との間に、上記インナーフレーム４０の周囲に密着させた弾性変形部材５０を橋架し、この弾性変形部材５０の外周縁部（シール部５２）にて上記インナーフレーム４０とアウターフレーム２０との間を水密にシールしているので、インナーフレーム４０に重ね合わせたカバー体１０の外周部をその全周に亘って確実にシールし、押圧操作釦として用いられるカバー体１０の全体を効果的に防水構造化することができる。従って見本展示部として機能するカバー体１０の大きさ（面積）が大きいと雖も、このカバー体１０を確実に防水構造化することが可能となる。
【００２１】
更には前述したようにシリコーン樹脂製の弾性変形部材５０におけるフランジ状の撓み部５１が裏側に向けて湾曲した形状を有しているので、この撓み部５１によりインナーフレーム４０，およびこのインナーフレーム４０に重ね合わせられたカバー体１０を前面側に弾性偏倚させる偏倚力を効果的に与えることができる。従ってばね部材等を別途組み込むことなくカバー体１０を押圧操作釦として有効に機能させることができる。しかも上述した実施形態においては、弾性変形部材５０に設けた肉厚柱状の押圧突起５３にて押圧スイッチ６１を押圧するようにしているので、カバー体１０が過大な押圧力により押圧操作された場合であっても、その押圧力を上記押圧突起５３の弾性変形により吸収することができる。これ故、押圧スイッチ６１に過度な応力が加わることを防止し、押圧スイッチ６１を機械的な衝撃から効果的に保護することが可能となる。
【００２２】
従って防水構造化すると共に、機械的強度に優れた簡易な構造の商品選択釦装置１を実現することができるので、屋外に設置される可能性のある自動販売機に組み込むのに極めて好適である。また上述した構成の商品選択釦装置１によれば、カバー体１０，および各フレーム２０,３０,４０をそれぞれ合成樹脂にてモールド成形し、またシリコーン樹脂製の弾性変形部材５０をインナーフレーム４０の外周部に一体に接合するだけで良いので、シール部材としてシリコーンゴム等を用いる場合に比較して非常に簡単に、しかも安価に製作することができる。従って製造コストの観点においても非常に優れていると言える。
【００２３】
また上述した実施形態においてはアウターフレーム２０の内側に張り出したフランジ部と、リアフレーム３０の基部との間の空間部にカバー体１０およびインナーフレーム４０の外周縁部を位置付け、これによってその移動範囲（カバー体１０およびインナーフレーム４０の移動ストローク）を規制するようにしている。このような構造を採用すれば、カバー体１０を軽いタッチで押圧操作するだけでスイッチを作動させることができるので、その操作性の向上を図り得る。特に図４に示すようにフレーム２０,３０の上部側でのインナーフレーム４０の移動幅を狭くしておけば、カバー体１０を押圧操作したとき、上部側での上記インナーフレーム４０とリアフレーム３０との当接によりインナーフレーム４０が上記当接部を支点として押し釦スイッチ５１に対峙させた下端側だけを前後に進退させることになる。この結果、カバー体１０は、その上端部を回動支点とするピアノタッチの動きを呈することになるので、上記押し釦スイッチ５１の押圧動作の確実化を図ると共に、その操作性の向上を図ることが可能となる。
【００２４】
尚、本発明は上述した実施形態に限定されるものではない。例えば前述したフィルムストッパ７０を取り外して、カバー体１０の裏面側に立体商品見本を嵌め込むようにしても良い。また導光体８０を組み込むことなく商品選択釦装置１を実現することも勿論可能である。更に実施形態においては回路基板６０に２つの押し釦スイッチ６１を設け、押圧操作されたカバー体１０の傾きに拘わることなく上記押し釦スイッチ６１の一方が必ず押されるようにしてその動作の確実化を図っているが、押し釦スイッチ６１を１個だけ設けるようにしても良い。また押し釦スイッチ６１をリアフレーム３０に直接組み込むことも可能である。その他、本発明はその要旨を逸脱しない範囲で種々変形して実施することができる。
【図面の簡単な説明】
【００２５】
【図１】本発明の実施形態に係る自動販売機の概略構成を示す外観図。
【図２】本発明の一実施形態に係る商品選択釦装置の外観形状を示す正面図および側面図。
【図３】図２に示す商品選択釦装置におけるキートップの中央部Ａ-Ａおよび下端部Ｂ-Ｂの横断面構造を示す図。
【図４】図２に示す商品選択釦装置におけるキートップの中央部Ｃ-Ｃおよび側部Ｄ-Ｄの縦断面構造を示す図。
【図５】図２に示す商品選択釦装置の全体的な分解構造を示す図。
【符号の説明】
【００２６】
１  商品選択釦装置
３  前扉
１０  カバー体
２０  アウターフレーム（前フレーム）
３０  リアフレーム（後フレーム）
４０  インナーフレーム（中フレーム）
５０  弾性変形部材
５１  撓み部
５２  シール部
５３  押圧突起
６０  回路基板
６１  押圧スイッチ
６２  発光ダイオード（ＬＥＤ）
７０  フィルムストッパ
８０  導光体
Ｆ  シート状のフィルム見本（フィルムダミー）
【図１】
2006139392.tif 000003
【図２】
2006139392.tif 000004
【図３】
2006139392.tif 000005
【図４】
2006139392.tif 000006
【図５】
2006139392.tif 000007